Podtech/llm-jp-corpus-v4-ja_patent huggingface dataset:
(57)【要約】      （修正有）【課題】枕の頭部・首部との間をファスナーで二分し中身を移動させ形状を体形にあわせ設定する。頭、首、体のバランスを良くし、特に頸椎への負担を少なくして安眠できる枕である。【解決手段】枕の形状（高さ）が変更できるようにする。後頭部と首部を乗せる部分の間をファスナーで仕切り二分する。ファスナーを開き、後頭部と首部の高さを上向き体形にあわせ、中身を移動し調整してファスナーを閉じる。個人別の体形に合わせられ、横寝で使用する時は肩の高さがある為ファスナー部から二つ折りにし首部を二重にして使用するのも可能。別使として座る体形に合わせ（尾てい骨の高さ）座布団として運転台や椅子などに使用可能。【選択図】図１
0003127914.tif 000002
【実用新案登録請求の範囲】
【請求項１】
枕の高さを個人別に設定でき、変更できるものである。
後頭部、首部を乗せる部分の間をファスナーで仕切り二分する。内側に付けたファスナーを開き、中身を移動させ頭部、首部の高さを調整してファスナーを閉じる。特に首部の高さを調整して首への負担を少なくするものである。横寝で使用するときは柔らかいので二つ折りにして使用可能。座椅子など座布団としても使用でき尾骨を支え運転など長時間、同姿勢等に使用可能。
【考案の詳細な説明】
【技術分野】
【０００１】  本発明は枕を体形に合わせられるものである。枕の外布（袋状）の内側にファスナーを付け頭部と首部に二分する。中身を相互に移動させ高さを体形に合わせてファスナーを閉じる。高さは上向きで調整し、横寝をする時は二つ折りにして使用できる。特に首部の高さを調整できる為、頸椎への負担がなく安眠でき、その時々で、変更も可能。運転等の長時間、同姿勢等にもクッションとしても使用可能。
【背景技術】
【０００２】  従来の枕には、高さや形状を変更できるものがあるが、中身を出して設定固定する。特に頭部の高さ設定が多く、頭部と首部の連結がない。中身を摘出し固定されるため、体調に合わせてその時々に変更できない。本出案は頭と首と体のバランスを重視し個人の体形に合わせられるものである。
【考案の開示】
【０００３】
【実出文献１】
実開２００１−７４４５号公開
【実出文献２】
実開２０００−１００３号公開
【実出文献３】
実開平０７−０３９６３７号公開
【実出文献４】
実開第３００７５６３号公開
【図１】
0003127914.tif 000003
【図２】
0003127914.tif 000004
【図３】
0003127914.tif 000005
【図４】
0003127914.tif 000006
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
枕の後頭部と首部を乗せる部分を内部のファスナーで仕切り二分して、中身材料を頭部から首部に首部から頭部に移動して体形にあわせる枕
【手続補正２】
【補正対象書類名】明細書
【補正対象項目名】全文
【補正方法】変更
【補正の内容】
【考案の詳細な説明】
【技術分野】
【０００１】  本発明は枕を体形に合わせられるものである。枕の外布（袋状）の内側にファスナーを付け頭部と首部に二分する。中身は相互に移動させ高さを体形に合わせてファスナーを閉じる。高さは上向きで調整し、横寝をする時は二つ折りにして使用できる。特に首部の高さを調整できる為、頸椎への負担がなく安眠でき、その時々で、変更も可能。運転等の長時間、同姿勢等にもクッションとしても使用可能。
【背景技術】
【０００２】  従来の枕には、高さや形状を変更できるものがあるが、中身を出して設定固定する。特に頭部の高さ設定が多く、頭部と首部の連結がない。中身を摘出し固定されるため、体調に合わせてその時々に変更できない。本出案は頭と首と体のバランスを重視し個人の体形に合わせられるものである。
【考案の開示】
【０００３】
【実出文献１】
実開２００１−７４４５号公開
【実出文献２】
実開２０００−１００３号公開
【実出文献３】
実開平０７−０３９６３７号公開
【実出文献４】
実開第３００７５６３号公開
【図面の簡単な説明】
【０００４】
【図１】枕の斜視図・・・斜視図で示した全体図
【図２】図１の断面図・・・図１を縦割りした図
【図３】枕の二つ折り図・・・ファスナー部を折り高さを変更できる
【図４】使用状態の図・・・上向きでの使用状態図で首部が支えられる
【符号の説明】
【０００５】１ファスナー部  ２頭部の位置  ３首部の位置  ４表生地  ５枕の中身材料  ６使用時の状態
(57)【要約】      （修正有）【課題】居ながらにして、窓から外の風景を眺めて楽しめる窓枠風壁掛けを提供する。【解決手段】壁掛け（１）の風景写真が動くことにより、部屋に雰囲気が出るようにするため、窓枠に見立てた壁掛け（１）にＤＶＤ装置（３）を取り付け、スイッチ（２）をオンにすると、窓から風景を眺めている雰囲気を感じさせる壁掛け。【選択図】図１
0003127920.tif 000002
【実用新案登録請求の範囲】
【請求項１】
スイッチを入れると窓枠に見立てたモニターにＤＶＤによる風景が横にゆっくり動く装置を持つ壁掛け
【考案の詳細な説明】
【技術分野】
【０００１】  本考案は窓から外の風景を眺めるがごときの窓枠
【背景技術】
【０００２】  従来の壁掛けは静止画を表示したもので、動く物はなかった。
【考案の効果】
【０００３】  居ながらにして風景を楽しめる壁掛け
【実施例】
【０００４】  本考案は窓枠に見立てた壁掛け（１）にＤＶＤ装置（３）を取り付け、スイッチ（２）をオンにすると、窓から風景を眺めてる雰囲気を感じさせる壁掛け。
【図面の簡単な説明】
【０００５】
【図１】  本考案の正面を示した平面図である。
【図２】  本考案の側面を示した断面図である。
【図３】  本考案に取り付けるＤＶＤ装置
【図４】  本考案の背面図
【符号の説明】
【０００６】  １  窓枠に見立てた壁掛け本体
２  スイッチ
３  ＤＶＤ装置
４  家庭用電源のコード
【図１】
0003127920.tif 000003
【図２】
0003127920.tif 000004
【図３】
0003127920.tif 000005
【図４】
0003127920.tif 000006
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
窓枠に見立てたモニターに再生用ＤＶＤ装置を設け、ＤＶＤ装置に風景が横にゆっくり動くＤＶＤを組み込んで、スイッチを入れると部屋に居ながら風景を見渡す雰囲気を味わえる特徴を持つ壁掛け
(57)【要約】      （修正有）【課題】餌木の背中の面を容器の正面に安定して展示することで餌木の全体像を見えるようにする。【解決手段】餌木と、餌木を支持する透明で弾力を有する支持板と、支持板で支持された餌木を収納する横長で透明な容器を使用する。支持板の切れ込みがある一端に餌木の鉛を挿入し、支持板の他端は傘針に挿入して餌木に支持板を装着させる。餌木に支持板を装着した状態で、支持板と横長で透明な容器に入れることにより容器の中で餌木が回転したりせず、又透明な容器を使用していることで、餌木の全体像ならびに餌木の背中の面を容器の正面に安定して展示する。【選択図】図１
0003127945.tif 000002
【実用新案登録請求の範囲】
【請求項１】
餌木と、餌木を支持する透明で弾力を有する支持板と、支持板で支持された餌木を収納する横長で透明な容器からなることを特徴とする餌木展示収納容器。
【請求項２】
支持板の一端は切れ込みがあり、この切れ込みに餌木の鉛を挿入し、支持板の他端を餌木の傘針の間に挿入することにより餌木が支持板で支持されるように構成されていることを特徴とする請求項１記載の餌木展示収納容器。
【考案の詳細な説明】
【産業上の利用分野】
【０００１】この考案はイカ釣の餌木の展示収納容器に関する。
【背景技術】
【０００２】従来餌木の展示の方法は、餌木本体を横に寝かせる方法で、餌木の片側の側面しか見ることができなかった。
【考案の開示】
【考案が解決しようとする課題】
【０００３】従来の餌木の展示方法では、餌木の片側の側面しか見えない為、餌木の全体像ならびにカラーが見えない。それを餌木の背中の面を容器の正面に安定して展示することで餌木の全体像を見えるようにし、問題を解決しようとするものである。
【課題を解決するための手段】
【０００４】上記の課題を解決するため、この考案においては餌木と、餌木を支持する透明で弾力を有する支持板と、支持板で支持された餌木を収納する横長で透明な容器を使用する。支持板の切れ込みがある一端に餌木の鉛を挿入し、支持板の他端は傘針に挿入して餌木に支持板を装着させる。餌木に支持板を装着した状態で、横長で透明な容器に入れることにより容器の中で餌木が回転したりせず、又透明な容器を使用していることで、餌木の全体像ならびに餌木の背中の面を容器の正面に安定して展示することにより問題点を解決している。
【考案の効果】
【０００５】この考案によれば、透明な支持板を使用することで餌木が透明な容器の中で横にならず浮いているように見え、さらに５面（上、下、左、右、正面）から餌木を見ることが出来き、餌木の背中が正面に安定して展示することが出来る。このように餌木を見やすい状態で展示することにより、消費者の購買意欲が高められる。
【実施例】
【０００６】以下、この考案の実施例について図を参照して述べる。【０００７】図１は、この考案に係わる餌木の展示収納容器の一実施例を示す斜視図である。【０００８】支持板の一端、図３の６の支持板の切れ込みに餌木の鉛が挿入し、支持板の他端は餌木の傘針に挿入すると、支持板に弾力がある為に少し丸みをおびた図２の様な状態になる。それを図４に入れることにより、図１の状態になる。【０００９】図３の支持板の幅を図４の容器の内側にフィットする長さにすることで、餌木が横長で透明な容器の中で回転することなく安定した状態で展示することが出来る。【００１０】図３の全長は餌木のサイズによってそのつど適正な長さに調整をすることにより、各サイズの餌木に利用可能となる。
【図面の簡単な説明】
【００１１】
【００１２】
【図１】この考案に係わる容器の一実施例を示す斜視図
【図２】図１に示す容器における内部を示す平面図
【図３】図２に示す餌木の支持板の平面図
【図４】図２に示す支持板を装着した餌木を入れる容器の斜視図
【符号の説明】
【００１３】１  全体の斜視図
２  餌木本体
３  鉛
４  支持板
５  傘針
６  切れ込み
７  容器
【図１】
0003127945.tif 000003
【図２】
0003127945.tif 000004
【図３】
0003127945.tif 000005
【図４】
0003127945.tif 000006
(57)【要約】【課題】  本考案は樹木等の支柱に関するもので、従来の支柱を打ち込む方法では樹木の根を傷めることがあった。そして支柱と樹木とを縄で縛らなくてはならず面倒である。  そこで本考案は、これらの作業がもっと時間的にも早くでき、労働の負担も軽くならないかと考えられたものである。【解決手段】  本考案は塩ビで被着された鉄パイプ等の支柱１の上端にクリップ２を枢着したものである。クリップ２は樹木等の幹１０を挟むことでその転倒防止や保護をするものである。支柱下部に同じく塩ビ被着された鉄パイプ等で作られた脚部３を取り付けてある。支柱の安定のためであるが、図１〜５の通り様々なものが考えられる。樹木等をクリップで留めるだけでよく取り扱いが簡単であり、時間的にも早くでき、労働的負担の面でもメリットは大きいのである。【選択図】図１
0003127950.tif 000002
【実用新案登録請求の範囲】
【請求項１】
樹木等の支柱に関するもので支柱の上部にクリップを設け、そのクリップによって、樹木等の幹を挟むことにより、支柱が簡単に完成するよう工夫されたクリップ付き支柱。
【考案の詳細な説明】
【技術分野】
【０００１】  本考案はバネにより開閉するクリップを枢着した支柱に関するものである。
【背景技術】
【０００２】  樹木の移植時には、その保護のため、支柱を立て、縄で縛る。コスモス等の花も台風などによる転倒防止のため、支柱が必要である。  今までは支柱を立て、縄で縛るなどしなくてならず面倒であった。また、支柱を立てることで樹木の根を傷めることもあった。
【考案の開示】
【考案が解決しようとする課題】
【０００３】  樹木が多く、多数の支柱を必要とする時は、特に時間的、労働的負担である。中小樹木や草花等の支柱は、もっと簡便で効率的なものが良い。  そこで本考案は、支柱の上部に枢着したクリップを樹木等の幹に挟むことにより、ワンタッチで支柱を完成できるようにした。また、支柱を深く土中に差し込む必要がないので、植物の根が傷みにくい。  以上の２点が前述の欠点を解決するものである。
【解決するための手段】
【０００４】  本考案は、支柱の上部にクリップを枢着したものである。そのクリップの枢着部は上下に回動できるようにしている。クリップはバネにより開閉自由になっている。支柱は鉄パイプ等で作られた塩化ビニールを接着剤で被着したものをここでは使っている。
【考案の効果】
【０００５】  上述のように、本考案のクリップ付き支柱では樹木等をクリップで挟むだけで支柱が完成し、簡易である。同時に、地中にあまり深く支柱を差し込まなくてもその効果が得られるので、根を傷めることなく問題点が解決する。
【考案を実施するための最良の形態】
【０００６】  支柱の上部に木の幹を挟むことができるクリップを枢着する。クリップはその枢着部で上下に回動するようにしてある。支柱下部の脚部は様々な型が考えられる。実施例１〜５（図１〜５に対応）により説明する。  いずれも支柱の先端が尖った状態にしてあり、足で踏むか、手で押すかすれば簡単に地中に差し込み可能である。
【実施例１】
【０００７】  以下、添付図１に従って実施例を説明する。  塩化ビニールを被着した鉄パイプで作られた支柱１の上端にクリップ２を枢着する。クリップ２は上下に回動可能とする。クリップ２はつまみ片６を矢印方向につまむと開口部７が開き、バネにより樹木等の幹１０を挟む。クリップ２の内側８にはゴム等を挿着し、樹木の表面を保護するようにしている。  支柱下部に同じく塩化ビニールを被着した鉄パイプで作られた脚部３を枢着する。  脚部３の先端部には図のように突起４を固着する。突起４を地中に挿入することで支柱が安定することになる。この支柱は、未使用時には脚部３を枢着部５より矢印の方向に折り畳むことができる。地面に設置するときは、脚部３は図示の通り地面と平行に９０度くらいは開くが、それ以上、上には開かないよう工夫されている。
【実施例２】
【０００８】  図２のように支柱１及び１’の上端にクリップ２及び２’を枢着する。クリップ２及び２’は支柱との枢着部５で上下に回動可能とする。  支柱１及び１’下部に同じく塩ビを被着した鉄パイプで作られたリング状の脚部３を固着する。ここでは脚部３は２つのリングで作られており、２つのリングは９によって接合されている。図のように９の接合部の下に突起４を固着する。この支柱は樹木の上から、このリングの穴を通して下ろしていき、地上に設置する。したがってこの支柱は、大きな枝葉の樹木には使えないことがある。そこで脚部３を２つの半円型に分割し、設置時にその２つを組み合わせることで同じ効果が得られ、大きな樹木にも使えることになる。
【実施例３】
【０００９】  図３のようにクリップ２に支柱１を複数本（この場合は３本）枢着したものである。その枢着部５は各々、矢印の方向に回動可能で折り畳むことができる。各々の支柱は枢着部５より開脚させて、その先端部を地中に差し込む。そしてクリップ２で樹木１０を挟むことで完成である。
【実施例４】
【００１０】  図４のようにクリップ２に支柱１を１本だけ枢着した簡易なものである。樹木の苗木やコスモスなどの草花等の支柱に適している。
【実施例５】
【００１１】  図５のように実施例３の支柱を植木鉢に使用した例である。支柱１の先端部をそれぞれ植木鉢の端の地中に差し込んでも良い。又は、図５のように支柱１の下の各先端部にクリップを固着する。そのクリップで植木鉢の上端部を挟み、支柱上部のクリップ２で樹木の幹１０を挟めば完成である。
【図面の簡単な説明】
【００１２】
【図１】．実施例１の通り支柱に複数の脚部を設けたクリップ付き支柱の正面図。
【図２】．実施例２の通り支柱に円盤状の脚を設けたクリップ付き支柱の正面図。
【図３】．実施例３の通りクリップに複数の支柱を枢着したクリップ付き支柱の正面図。
【図４】．実施例４の通りクリップに１本の支柱を枢着したクリップ付き支柱の正面図。
【図５】．実施例５の通り植木鉢に使用したクリップ付き支柱の正面図。
【符号の説明】
【００１３】１．  支柱２．  クリップ３．  支柱の脚部４．  突起５．  支柱１との枢着部６．  つまみ片７．  クリップの開口部８．  クリップの内側に挿着したゴム等９．  ２つのリングの接合部１０．樹木等の幹
【図１】
0003127950.tif 000003
【図２】
0003127950.tif 000004
【図３】
0003127950.tif 000005
【図４】
0003127950.tif 000006
【図５】
0003127950.tif 000007
(57)【要約】【課題】本考案では、ワッペンをあらゆる生地の衣類等に着脱可能な構造とし、かつ取り外し時にも装飾性を向上させることを課題とする。【解決手段】本考案では、面ファスナー型ワッペンの付着が可能な刺繍つき下地ワッペン（１）を予め衣類に縫い付ける、あるいは面ファスナー型ワッペンの付着が可能な刺繍つき生地で衣類を縫製するにことにより、着脱可能でデザイン性に優れ、かつ容易に脱落が発生しない形で、ワッペンをあらゆる生地の衣類に付着させることが可能となる。【選択図】図４
0003127935.tif 000002
【実用新案登録請求の範囲】
【請求項１】
起毛状の表面を有することで面ファスナー雌材として機能し、かつ当該表面上に刺繍が施されているワッペン下地。
【請求項２】
裏面に面ファスナー雄材を有するワッペン（３）を結合することができる、請求項１に記載のワッペン下地。
【請求項３】
スポンサー名等が刺繍として施され、広告性を発揮する、請求項１又は２に記載のワッペン下地（１）。
【請求項４】
請求項１〜３のいずれか一項に記載されるワッペン下地（１）及び裏面に面ファスナー雄材を有するワッペン（３）から構成される、着脱可能ワッペン。
【考案の詳細な説明】
【技術分野】
【０００１】  本考案は、シャツ、ズボン、制服等の衣類、ペット用衣類、帽子等の装身具または鞄等の手回り品（以下これらを「衣類等」という）に対し着脱可能なワッペンに関するものである。
【背景技術】
【０００２】  ワッペンを衣類等に付着させるためには、縫い付ける、あるいはワッペン裏面に塗布した熱可塑性接着剤をアイロン等の加熱器具で溶融し、押圧することにより衣類等の生地面に付着させるという方法が一般的であるが、一度衣類に付着させると、容易に取り外すことは不可能となる。そのため、ワッペンを取り外し可能としながら使用するためには、ワッペン裏面に面ファスナー、あるいは両面テープ等を貼り付ける構造を従来は用いていた。
しかし、前者は付着可能な生地が起毛上のものに限られるという制限があり、後者は粘着力が弱く、汗や激しい動きに起因して、ワッペンが脱落してしまうという欠点があった。
例えばプロボウリングのライセンスワッペンは、公式大会においてユニフォームへの貼り付けを義務付けられるため、ユニフォームの交換毎にワッペンを張り替えられるよう、取り外し可能な形でユニフォームに取り付けていた。しかし、上記原因による脱落に伴うワッペンの紛失や、投球中の落下による競技への障害が発生していた。
また、公式大会ではユニフォーム背中に選手名の記載が必要となるが、街中を歩くなどの大会以外に着用する際には、プライバシー保護のために背中の氏名を取り外したいという要望が多くあった。
【考案の開示】
【考案が解決しようとする課題】
【０００３】  本考案では、ワッペンをあらゆる生地の衣類に着脱することを可能とし、そして取り外し時にも装飾性を高めることを課題とする。
【課題を解決するための手段】
【０００４】  本考案は、面ファスナー（例えばマジックテープ（登録商標））雄材を有するワッペンを付着可能なワッペン下地（１）であって、その表面が起毛状であり、面ファスナー雌材として機能し、かつその表面に刺繍が施されている、ワッペン下地（１）を提供する。本考案はさらに、当該ワッペン下地（１）及び当該下地に面ファスナーを介して結合する面ファスナー雄材を有するワッペンから構成される着脱可能ワッペンを提供する。当該ワッペン下地（１）を予め衣類に縫い付ける、あるいはワッペン下地を用いて衣服を縫製することにより、上記課題を解決する。
【考案の効果】
【０００５】  当該ワッペン下地（１）を予め衣類に縫い付ける、あるいはワッペン下地を用いて衣類を縫製することにより、面ファスナー雄材を有するワッペンを衣類上に着脱可能であるが強固に付着することを可能にする。さらに当該面ファスナー雄部を有するワッペンを外した際においても、ワッペン下地（１）の表面に刺繍が施されていることから、当該ワッペン下地自体がワッペンとしての装飾性を発揮する。【０００６】  本考案の一実施態様として、ワッペン下地（１）は刺繍としてスポンサー名、スポンサーのマークなどが施される。これにより、面ファスナー雄材を有するワッペンを外している際に広告性を発揮する。【０００７】  本考案の別の実施態様として、面ファスナー雄材を有するワッペンが、任意に取替えられる。当該ワッペンとして、そして必要に応じてスポーツのライセンスワッペン、スポンサーの広告ワッペン、スポーツ選手の氏名を明記するワッペン及び服飾のデザイン性を向上するワッペンなどがあり、必要に応じて付着されるワッペンが選ばれる。当該ワッペンは、ワッペン下地（１）と同じ大きさであってもよいし、ワッペン下地（１）より大きくてもよいし、又は小さくてもよい。
【実施例１】
【０００８】  図４は、（１）を衣服に縫い付けた上に（３）を付着させた実施例である。（３）裏面は図２Ｂのように面ファスナー雄材であるため、取り外しが可能である。
【実施例２】
【０００９】  図５の実施例は、（１）を点在して付着させることで、より大きなサイズのワッペンも付着させることを可能とした例である。
【図面の簡単な説明】
【００１０】
【図１】刺繍入りワッペン下地を示した説明図である。
【図２】市販されている面ファスナー雄材を有するワッペンを示した説明図であり、Ａは表面、Ｂは裏面を示す。
【図３】図１，２を組み合わせて用いる場合の断面図を示す。（１）と（３）は面ファスナー雄材と雌材により結合され、（１）と（４）は縫製により結合される構造である。
【図４】図１，２を組み合わせて用いた例を示す。（実施例１）
【図５】図１を点在させることで、名前等の大きなワッペンを取り付けることができる。（実施例２）
【符号の説明】
【００１１】（１）    ワッペン下地
（２）    広告用刺繍
（３）    面ファスナー雄材を有するワッペン
（４）    面ファスナー付着不可能な生地
【図１】
0003127935.tif 000003
【図２】
0003127935.tif 000004
【図３】
0003127935.tif 000005
【図４】
0003127935.tif 000006
【図５】
0003127935.tif 000007
(57)【要約】      （修正有）【課題】乾電池の電力不足の為の交換作業の煩わしさを解決する。【解決手段】ＡＣアダプターの出力端子を直接差込める形状をした交換無用・充電型乾電池を使用する。【選択図】図１
0003127921.tif 000002
【実用新案登録請求の範囲】
【請求項１】
ＡＣアダプターの出力端子を直接差込める形状をした交換無用・充電型乾電池
【請求項２】
請求項１の形状で蓄電池の構造を有した交換無用・充電型乾電池
【請求項３】
請求項１と請求項２の形状と構造を組合せた、交換無用・充電型乾電池の考案
【考案の詳細な説明】
【技術分野】
【０００１】新製品開発技術
【背景技術】
【０００２】電気技術＋機械設計技術
【考案の開示】
【考案が解決しようとする課題】
【０００３】乾電池対応型の電気製品で移動範囲を限定して使用している場合に
乾電池の電力不足の為の交換時の使い捨てによる無駄の解決
充電型乾電池の充電装置の常備の無駄の解決
乾電池の電力不足の為の交換作業の煩わしさの解決
【課題を解決するための手段】
【０００４】ＡＣアダプターの出力端子を直接差込める形状をした
交換無用・充電型乾電池を使用する
請求項１の形状で蓄電池の構造を有した交換無用・充電型乾電池を使用する
電気製品の乾電池ケース部にＡＣアダプター差込み用穴のを設ける
【図面の簡単な説明】
【０００５】
【図１】［正面図］ＡＣアダプターの出力端子の差込み穴を含む  交換無用・充電型乾電池の正面からの形状を示す
【図２】［側面図］交換無用・充電型乾電池の側断面の形状及び構造を示す
【図３】［上面図］ＡＣアダプターの出力端子の差込み状態を含む  交換無用・充電型乾電池の上面からの形状を示す
【図１】
0003127921.tif 000003
【図２】
0003127921.tif 000004
【図３】
0003127921.tif 000005
【手続補正書】
【提出日】平成18年9月9日(2006.9.9)
【手続補正１】
【補正対象書類名】実用新案登録請求の範囲
【補正対象項目名】全文
【補正方法】変更
【補正の内容】
【実用新案登録請求の範囲】
【請求項１】
単１、単２、単３型等の充電型乾電池の胴体横部にＡＣアダプターからの受電用の筒とピンが埋め込まれているという形状を有する交換無用・充電型乾電池
【請求項２】
請求項１の形状で蓄電池の構造を有した交換無用・充電型乾電池
(57)【要約】      （修正有）【課題】自動車のステアリングホイールを直射日光による劣化や高温及び汚れから保護する事と自動車会社などの新しい信頼感や安心感を手段として提供する。【解決手段】自動車のステアリングホイールに装着することで、遮熱性の発揮と衛生面で保護ができ、清潔感のあるステアリングペーパーカバーである。利用者においては、企業アピールの活用として、社名文字やメッセージカードの差し込みが可能。お客様の満足度向上を得る。また、紙製の商品なので低コストで製作が可能の上、使用後の廃棄処理も自然にやさしいステアリングペーパーカバーである。【選択図】図１
0003127924.tif 000002
【実用新案登録請求の範囲】
【請求項１】
自動車のステアリングホイールに装着し、社名・ロゴマークなどの印刷や名刺・メッセージカードなどを差し込む事もでき、尚且つ直射日光によるステアリングホイールの劣化などを防ぐ事ができる、紙製のステアリングペーパーカバー。
【考案の詳細な説明】
【技術分野】
【０００１】  本考案は、各種自動車のステアリングホイールを自動車販売会社（含む中古車販売会社）などの展示車両、整備車両及び納車車両に装着して、商品価値を高めることや担当者の明確化及び熱や汚れを保護することを可能としたステアリングペーパーカバーである。
【背景技術】
【０００２】  夏季の日中は、車内が直射日光を受けて熱くなり、ステアリングホイールも高温になり、すぐに運転出来ない。このために、フロントガラス全体に遮熱板をのせるか、又はステアリングホイールに布製のシートカバーや反射材を加工したカバーで回避することが行なわれている。【０００３】  また、自動車販売会社などでは、納車時に車内汚れ防止のために、フロアマットの上に紙シートを敷く、運転席座席に布やビニールカバーをすることはあるが、車両移動時に他人が触れたステアリングホイールを清掃した後にカバーをしていないことが多い。さらに長時間駐車や保管している場合のステアリングホイール素材に対する直射日光による劣化や高温が影響し、担当者（整備士など）の案内が出来ていない場合も多い。
【考案の開示】
【考案が解決しようとする課題】
【０００４】  前記の遮熱板は、車両のフロントガラスのサイズによって種類を用意する必要があり自動車販売会社などの車両展示台数に合わせて用意するには、コストもかかる。また、布製カバー反射材を加工したカバーもコストがかかる。考案者は、カバーを紙にすることにより、より低コストで、自動車のステアリングホイールを直射日光の熱や汚れから保護し、自動車販売会社などの預かり車両や納車車両に名刺やメッセージカードを差し込むことにより、担当者の明確化を図れ、お客様満足度の向上させるための新しい手法を提案するものである。
【課題を解決するための手段】
【０００５】  本考案は、自動車のステアリングホイールに装着する紙製のステアリングペーパーカバーである。カバーに社名文字やロゴマークなどの印刷や、切込みによる名刺やメッセージカードなどを差し込むことを可能にしている。
【考案の効果】
【０００６】  今までに考案されたカバーと違い紙製による簡単な製法で、低コストで作成出来る。また、取り付けも容易で、直射日光によるステアリングホイールの劣化、高温を緩和させ、さらに、社名文字やロゴマークなどの印刷や切込みに名刺やメッセージカードを差し込み担当者（整備士など）の明確化により、信頼と安心の提供ができ、ステアリングペーパーカバーに汚れが付かない様に手を清潔にした状態で装着する事による清潔感を訴求することもでき、ペーパーカバーによる清潔感をあわせて、最大限に発揮できるものと考えられる。
また、使用後は簡易的なゴミ袋として活用でき、廃棄する時も燃えるゴミとして処分が可能で、余分なコストが不要である。
【考案を実施するための最良の形態】
【０００７】  本考案のステアリングペーパーカバーは、ステアリングホイールを上から覆い被せるように装着するようにしたものである。【０００８】  材料としては、紙製での加工とし、紙の貼りあわせ部分は、圧着加工や接着剤を使用してもよく、特別な制限はない。
【実施例１】
【０００９】  以下、本考案の実施例を図面に基づいて説明する【００１０】  図１は、ステアリングペーパーカバー１をステアリングホイール２に上から覆い被せ、直射日光によるステアリングホイールの劣化、高温を緩和させ、またステアリングホイールの汚れ防止に効果を発揮する。さらに、社名文字やロゴマークなどの印刷３や切込み部分４に担当者の名刺（整備士など）やメッセージカードを入れる事により、新しい感覚でさらなる信頼感と安心感を醸成することができる。【００１１】  図２は、ステアリングペーパーカバー１の展開図を示し、一枚物の紙を形状に裁断した物である。要望により、社名文字やロゴマークなどの印刷３をする部分を有し、さらに要望により名刺やメッセージカードを差し込むための切込み４をいれる。また、袋部分５を形成する長さや前面部分のステアリングペーパーカバー１の長さ大きさは、要望により変更できるように特に制限を持たないものとする。
【図面の簡単な説明】
【００１２】
【図１】  図１は、ステアリングペーパーカバー１をステアリングホイール２に上から袋部分５を利用して覆い被せた状態で正面からと裏面から見た図面である。
【図２】  図２のステアリングペーパーカバーの展開図である。
【符号の説明】
【００１３】１    ステアリングペーパーカバー
２    ステアリングホイール
３    社名文字やロゴマーグなどの印刷位置
４    名刺やメッセージカードなどを差し込むための切込み
５    袋部分
【図１】
0003127924.tif 000003
【図２】
0003127924.tif 000004
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
自動車のステアリングホイールの輪郭形状に適合して、紙を上半円下方形と上半円形に裁断し、上半円の円周部分を合わせて貼付け加工し袋状にして、自動車のステアリングホイールに袋状部を利用して上部から覆い被せるように装着し、表面に２箇所のメッセージカードなどを差し込める切込み加工を施した形状を有するステアリングペーパーカバー
(57)【要約】【課題】散熱装置の構造の提供。【解決手段】本考案は散熱装置の構造に関するもので、特に各種機器の使用時に、散熱効率を高める構造を提供する構造である。主にすでにある散熱フィン外部にナノカーボン層を設けることで、機器本体の迅速な散熱効果を得、省エネの目的を達成することができるものである。【選択図】図２
0003127365.tif 000002
【実用新案登録請求の範囲】
【請求項１】
機器設備上に結合されている、多数の散熱フィンを含み、
各散熱フィンの外部にナノカーボン層を設け、該ナノカーボン層は多数の微細なナノカーボン粒子により構成されることを特徴とする散熱装置の構造。
【請求項２】
当該ナノカーボン層が溶剤及び接着剤により、散熱フィンの表層に粘着して、各カーボン粒子間に極めて微細な隙間が存在することを特徴とする請求項１記載の散熱装置の構造。
【考案の詳細な説明】
【技術分野】
【０００１】
本考案は散熱装置の構造に関するもので、主に各種機器設備が有する散熱フィンに対し改造を加え、その散熱効率を高めて、温度を急速に低下させ、実用性を獲得するものである。
【背景技術】
【０００２】
多くの機器設備上には散熱構造が設置されており、機器の運転時に発生する高温を低下させることで、機器の安定した作業を確保し、破損を減らしている。例えば、クーラー、自動車、家電製品、パソコンのCPU等、従来の散熱機構は主として適当な位置に多数の散熱フィン(1)を設置している。図１に示すように、クーラーを例にとると、伝導熱源は、各散熱フィン(1)を利用して、熱い空気を外部へ排出させ、冷たい空気を室内へ送る。その原理は急速に導熱する散熱フィン(1)が、熱エネルギーを空気中へ送る事により、散熱の効果を得るものである。そのため、散熱効果を増加するために散熱フィンの材質を選択する以外に、従来は通常、散熱フィンの数量を増加し、その形状を変更して、全体の表面積を増やしているだけでした。そして、限りある空間中で、数量を増加し、形状を変更して得られる効果には相当限度があり、機器本体の機能低下をもたらし、またエネルギーの浪費でもある。
【考案の開示】
【考案が解決しようとする課題】
【０００３】
本考案の主要目的は散熱効率を高める散熱構造の設計において、迅速且つ効果的に温度を下げ、機器の設備本体に最大の効果能力を発揮させ、省エネルギーとコストを節約できることである。
【課題を解決するための手段】
【０００４】
請求項１の考案は、機器設備上に結合されている、多数の散熱フィンを含み、
各散熱フィンの外部にナノカーボン層を設け、該ナノカーボン層は多数の微細なナノカーボン粒子により構成されることを特徴とする散熱装置の構造としている。
請求項２の考案は、当該ナノカーボン層が溶剤及び接着剤により、散熱フィンの表層に粘着して、各カーボン粒子間に極めて微細な隙間が存在することを特徴とする請求項１記載の散熱装置の構造としている。
【考案の効果】
【０００５】
本考案は、散熱フィンの数量を増加し、その形状を変更しないで、ただちに顕著に全体の散熱効果を高めることができる。
【考案を実施するための最良の形態】
【０００６】
図２、図３を参照のこと。クーラーの散熱装置を例にとると、本考案では主に各散熱フィン(1)の外部がナノカーボン層(2)と結合している。これはナノカーボン粒子(21)により構成され、溶剤と適当な接着剤を利用して、ナノカーボン層(2)を散熱フィン(1)の表面に粘着させ、各ナノカーボン粒子(21)間に微細な隙間を存在させることができる。
【０００７】
ナノカーボン層(2)が含むナノカーボン粒子(21)の一部分と散熱フィン(1)が直接接触し、その表面部分に不規則で極めて微細な凹凸面を形成するため、表面積が極めて大きく増加する。1グラムのナノカーボンの比表面積はおよそ1,000〜2,000平方メートルに延伸することができ、且つナノカーボン粒子(21)は極めて良い導熱及び散熱特性も有する。また、ナノカーボン層(2)の厚みを増加するだけで、その温度低下効果をさらに顕著に増加させる事ができる。
【０００８】
本考案は、散熱フィンの数量を増加し、その形状を変更しないで、ただちに顕著に全体の散熱効果を高めることができる。上記のクーラーの冷却効果の場合、効果的に大量のエネルギーを節約することができ、同時にさらに良い温度低下効果が得られるものである。このアイデアの下、本考案では他の機器設備の散熱構造中、例えば、家電設備の散熱装置、自動車の冷却システムの散熱フィン、或いはパソコンのCPU中の散熱フィン上に自然に適用することができ、いずれも最良の散熱温度低下効果を得る事ができる。
【０００９】
このほか、上記の構造中では、ナノカーボン粒子を実施例としているが、主にそれが極めて良い導熱散熱性を有するためであり、本考案の使用範囲をこれだけに制限するものではない。これに類似する特性を持つ原料を利用するものはまた、全て本考案が要求する保護範囲内に包括されるものとする。
【図面の簡単な説明】
【００１０】
【図１】従来の散熱フィンの外観図とする。
【図２】本考案の散熱フィンの外観図とする。
【図３】本考案の散熱フィンの断面図とする。
【符号の説明】
【００１１】
(1)散熱フィン  (2)ナノカーボン層  (21)ナノカーボン粒子
【図１】
0003127365.tif 000003
【図２】
0003127365.tif 000004
【図３】
0003127365.tif 000005
(57)【要約】【課題】シュレッダー進紙機構の構造を提供する。【解決手段】シュレッダー進紙機構の構造は、殻体、モーター、減速機、及び、刃具、からなり、その特徴は、刃具頂端の進紙口は、二本の進紙円管からなり、二本の進紙円管両端は、それぞれ、定位板上方のW型嵌槽内に定位し、平時は、進紙円管は係合して封閉し、安全性を有し、且つ、ゴミの進入を防止する。紙が進紙口に進入する時、紙自身の厚さで進紙円管を張開して、紙を円滑にシュレッダー刃具内に導引する。【選択図】図２
0003127352.tif 000002
【実用新案登録請求の範囲】
【請求項１】
シュレッダー進紙機構の構造であって、殻体、モーター、減速機、及び、刃具、からなり、その特徴は、
前記刃具頂端の進紙口は、二本の進紙円管からなり、平時は、係合して封閉されていて、紙が前記進紙円管に送入される時、前記進紙円管は外に移動して進紙口を開き、紙をシュレッダー内に導引することを特徴とするシュレッダー進紙機構の構造。
【請求項２】
前記二本の進紙円管両端は、それぞれ、前記殻体の定位板上に定位され、前記定位板上方にW型嵌槽を有し、前記嵌槽両端の滑塊は、前記進紙円管を前記嵌槽内に滑入し、二滑塊は、それぞれ、前記進紙円管内に置入されることを特徴とする請求項１に記載のシュレッダー進紙機構の構造。
【考案の詳細な説明】
【技術分野】
【０００１】
本考案は、シュレッダー進紙機構の構造に関するものであって、特に、進紙口が二本の可動進紙円管からなり、進紙円管は紙の厚さによって張開し、不用時に閉鎖して、安全性が高い構造に関するものである。
【背景技術】
【０００２】
一般のシュレッダーは、図１で示されるように、シュレッダー１００の進紙口１０１は紙を進入させ、シュレッダー１００内部の刃具１０２により、紙を砕く。進紙口１０１自身は固定されていて変動しない装置であり、紙を進紙口１０１内に送入する時、一辺に斜向させるので、紙が皺畳状況が発生する。平時は、開放された進紙口１０１内から直接シュレッダー刃具が見えるので、美観を損ね、また、埃や雑物がシュレッダー刃具内に入って、シュレッダーの使用寿命に影響するばかりか、幼児の小さい手が誤って挟まれ、刃具により負傷する恐れがある。
【考案の開示】
【考案が解決しようとする課題】
【０００３】
本考案は、シュレッダー進紙機構の構造を提供し、安全性が高く、且つ、埃や雑物が入るのを防止し、両進紙円管が紙を円滑に導入でき、紙が斜向進入して皺が生じないようにすることを目的とする。
【課題を解決するための手段】
【０００４】
上述の目的を達成するため、本考案は、進紙口が二本の可動進紙円管からなり、両進紙円管は紙の厚さによって張開し、不用時に閉鎖して、安全性を高める。
【考案の効果】
【０００５】
本考案により、安全性が高く、且つ、埃や雑物が入るのを防止し、両進紙円管が紙を円滑に導入でき、紙が斜向進入して皺が生じないようにする。
【考案を実施するための最良の形態】
【０００６】
図２〜図４で示されるように、本考案のシュレッダーは、殻体１、モーター２、減速機３、及び、刃具４等の素子からなり、主な特徴は、刃具４頂端の進紙口１０は、二本の進紙円管５，６からなり、二本の進紙円管５，６の両端はそれぞれ、定位板７上に嵌置される。定位板７は殻体１上に栓固され、定位板７上方にW型嵌槽７１を有し、嵌槽７１両端は、それぞれ、滑塊７１１、７１２を有し、二本の進紙円管５，６は、それぞれ、滑塊７１１、７１２端から嵌槽７１内に滑入され、二滑塊７１１、７１２は、それぞれ、二本の進紙円管５，６内に置入される（図４）。平時、二本の進紙円管５，６は相互に係合して、埃や雑物が入るのを防止し、紙Aが二本の進紙円管５，６間の進紙口１０内に進入する時、紙A自身の厚さが二本の進紙円管５，６を開かせ、二本の進紙円管５，６はW型嵌槽７１の空間に向かって移動し、紙Aが円滑に刃具４内に送入される。
【０００７】
本考案の構造は、二本の可動な進紙円管により進紙口を構成し、平時、二本の進紙円管は相互に係合して封閉し、紙が進紙口から送入される時、紙自身の厚さにより進紙口を推開し、紙を円滑に刃具に導入する。
【０００８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００９】
【図１】公知の外観図である。
【図２】本考案の外観図である。
【図３】本考案の部分構造図である。
【図４】本考案の二進紙円管の平面図である。
【符号の説明】
【００１０】
１    殻体
２    モーター
３    減速機
４    刃具
５、６  進紙円管
７  定位板
７１  嵌槽
７１１、７１２  滑塊
１０  進紙口
１００  シュレッダー
１０１  進紙口
１０２  刃具
A  紙
【図１】
0003127352.tif 000003
【図２】
0003127352.tif 000004
【図３】
0003127352.tif 000005
【図４】
0003127352.tif 000006
(57)【要約】【課題】  この考案は、転圧機の欠点を補い、持ち運びの不便、あるいは危険な場所での転圧に適し、危険な作業から作業員を守ることを目的とした，油圧ブレーカーを利用した転圧機を開発・製造することにある。【解決手段】  油圧ブレーカを装着した土木機械器具（Ｘ）において、該機械器具の油圧ブレーカー（Ｙ）の先端部に、着脱自在に装着する棒状のロッド（１）を設け、該ロッドに金属製プレート（２）を設け、該プレート（２）に、スプリング（４）を介して、木製の転圧板（３）を設けたことを特徴とする油圧ブレーカーを利用した転圧機から構成される。【選択図】        図１
0003127318.tif 000002
【実用新案登録請求の範囲】
【請求項１】
油圧ブレーカを装着した土木機械器具において、該機械器具の油圧ブレーカーの先端部に、着脱自在に装着する棒状のロッド（１）を設け、該ロッドに金属製プレート（２）を設け、該プレート（２）に、スプリング（４）を介して、木製の転圧板（３）を設けたことを特徴とする油圧ブレーカーを利用した転圧機。
【請求項２】
油圧ブレーカを装着した土木機械器具において、木製の転圧板（３）の接地側に、ゴム板（５）を設けたことを特徴とする請求項１記載の油圧ブレーカーを利用した転圧機。
【考案の詳細な説明】
【技術分野】
【０００１】
この考案は、油圧ブレーカーを利用した転圧機に関するものである。
【背景技術】
【０００２】
従来、一般的に、土木工事において土を盛る際に、この盛った土を締め固めることを転圧といい、その土を締め固める機械を転圧機と称している。
【０００３】
そして、これら土を締め固める機械には、振動ローラー、ランマープレート、そしてタンパー等が一般的に用いられている。
【０００４】
しかし、転圧機としては、その性能上、ある程度の重量が必要となり、足場の悪い場所や、転圧機を持ち上げることが困難な場所での締付け作業は、転圧機自体を運び込むことが煩雑、かつ、危険であり、締付け作業も転落の危険がある等の欠点があった。
【考案の開示】
【考案が解決しようとする課題】
【０００５】
そこで、この考案は、転圧機の欠点を補い、持ち運びの不便、あるいは危険な場所での転圧に適し、危険な作業から作業員を守ることを目的とした、油圧ブレーカーを利用した転圧機を開発・製造することにある。
【課題を解決するための手段】
【０００６】
本考案は、土木機械である、油圧ブレーカーを利用して転圧機とするもので、即ち、アタッチメントとして油圧ブレーカーに装着するものであり、土木機械が行う他には全く支障がなく、安全に使用できる油圧ブレーカーを利用した転圧機から構成される。
【考案の効果】
【０００７】
本考案によると、油圧ブレーカを装着した土木機械器具において、該機械器具のブレーカーの先端部に装着する棒状のロッド（１）を設け、該ロッドに金属製プレート（２）を設け、該プレートに、スプリング（４）を介して、木製の転圧板（３）を設けたものであり、土木機械である、油圧ブレーカーの運転席から転圧作業を行うものであり、安全に作業が行え、しかも、スプリング（４）を介して木製の転圧板（３）を設けており、油圧ブレーカーの衝撃を該スプリングで吸収して少し弱め、さらに、木製の転圧板（３）の接地側に、ゴム板（５）を設けたことにより、さらに油圧ブレーカーの振動を弱めることができる等極めて有益なる効果を奏する。
【考案を実施するための最良の形態】
【０００８】
この考案の一実施例を図面に従って詳述すると、油圧ブレーカを装着した土木機械器具において、該機械器具の油圧ブレーカーの先端部に装着する棒状のロッドを設け、該ロッドに金属製プレートを設け、該プレートに、スプリングを介して、木製の転圧板を設けて、油圧ブレーカーの振動によって、転圧しようとするものである。
【実施例】
【０００９】
次に、この考案の一実施例を図面に従って詳述すると、油圧ブレーカを装着した土木機械器具（Ｘ）において、該機械器具の油圧ブレーカー（Ｙ）の先端部に、着脱自在に装着する棒状のロッド（１）を設け、該ロッドに金属製プレート（２）を設け、該プレート（２）に、スプリング（４）を介して、木製の転圧板（３）を設けたことを特徴とする油圧ブレーカーを利用した転圧機から構成される。
【００１０】
さらに、金属製プレート（２）と木製の転圧板（３）との間には、転圧板（３）側からボルト（４ａ）を複数本設け、金属製プレート（２）側でワッシャを介してナット（４ｂ）で締めつけ固定し、各ボルト（４ａ）の金属製プレート（２）と木製の転圧板（３）との間に、スプリング（４）を遊嵌し、それぞれ付勢している。
【００１１】
また、油圧ブレーカを装着した土木機械器具（Ｘ）において、木製の転圧板（３）の接地側に、ゴム板（５）を設けてもよいものである。
【００１２】
尚、この考案の棒状のロッド（１）に変え、従来のチゼルの先端部を平らにカットしたものを用いてもよい。
【００１３】
次に、この考案の一の使用状態を説明すると、図１に示すように、傾斜地での転圧作業を行っているものであり、油圧ブレーカ（Ｙ）を装着した土木機械器具（Ｘ）の運転席より、転圧作業を操作しているものであり、安全に作業ができるものである。
【００１４】
さらに、この考案の他の使用状態を説明すると、図３に示すように、河川脇等に設けられたふとんかご（Ｚ）の中に、小石、礫等を入れて、転圧するものであり、必要に応じて、転圧板（３）の接地側に、ゴム板（５）を設けておけば、衝撃を少なくすることにより、小石や礫等を粉砕してしまわない程度の転圧を行うことも可能である。
【産業上の利用可能性】
【００１５】
この考案は、油圧ブレーカを装着した土木機械器具のアタッチメントとして、転圧板を設けるという製造技術を確立し、かつ、該転圧板を用いて、作業することによって、産業上の利用可能性を有する。
【図面の簡単な説明】
【００１６】
【図１】この考案の一実施例を示す一部欠截正面図である。
【図２】この考案の一実施例を示し、（ａ）は一部欠截正面図であり、（ｂ）は、平面図である。
【図３】この考案の他の実施例を示す説明図である。
【符号の説明】
【００１７】
１  棒状のロッド
２  金属製プレート
３  木製の転圧板
４  スプリング
４ａ  ボルト
４ｂ  ナット
５  ゴム板
Ｘ  土木機械器具
Ｙ  油圧ブレーカー
Ｚ  ふとんかご
【図１】
0003127318.tif 000003
【図２】
0003127318.tif 000004
【図３】
0003127318.tif 000005
(57)【要約】【課題】  近年ラーメン、うどんなど外食産業が盛んで多種多様なトッピングでメニューの多様性を開発している中、やはりそのトッピングを最後まで食べたい願望を満たすには本考案であるスープとトッピングを分けトッピングのみ掬えることが必要であり。和、洋、中華にあわせ、スプーンの材質をアレンジすれば食材と食器の楽しみも増える。【解決手段】  スプーンにスープとトッピングを分離する孔又はスリットを付加し，器にスプーンが密着するよう円周を大きくした。【選択図】図１
0003127337.tif 000002
【実用新案登録請求の範囲】
【請求項１】
中心部は、本来の掬う機能を有したまま、先端がラーメン等の容器に沿った形状でありさらに複数の小穴、またはスリット構造を設けことによって固液分離機能を有するスプーン。
【考案の詳細な説明】
【技術分野】
【０００１】
本考案はスプーンにおける中心部は掬う機能を、先端は固液分離機能をつけた。
【背景技術】
【０００２】
従来のスプーンとフォークを合せたフォークスプーンはあるが先端構造が突き刺す目的の為ラーメンなど食べた最後などの短いメン、コーン、薬味をスープから掬いだすのにスープと分離できない、それに対するスプーンは現在無い。
【考案の開示】
【考案が解決しようとする課題】
【０００３】
ラーメンなどのトッピングを掬いたいときスープと同時にトッピングなどの固形物が流出するのを防止し固形物を掬い取り易くすることを特徴とする
【課題を解決するための手段】
【０００４】
中心部は、本来の掬う機能を有したまま、先端がラーメン等の容器に沿った形状でありさらに複数の小穴、またはスリット構造を設けたことによって固液分離機能をつけた。
【考案の効果】
【０００５】
賞味希望のトッピングが最後まで食べられる。
【考案を実施するための最良の形態】
【０００６】
本考案のスプーンの材質は特に限定されるものでなく、ステンレス、竹、木、プラスチック、陶器など通常用いられている材料で可能である。先端形状は容器に沿った形状を考え、小穴・スリットを開ける最良の位置を決める。
【実施例】
【０００７】
スプーン先端の容器接触部３は容器形状に沿った形状にした例を図１及び図２に、従来のスプーン先端の容器接触部を図３に示す。
【０００８】
図１は容器形状に沿った形状のうち、トッピングが掬いやすいようにスプーンの先端に複数の小穴を設けた例を示す。
図２は同様に、トッピングが掬いやすいようにスプーンの先端に複数のスリットを設けた例を示す。
【図面の簡単な説明】
【０００９】
【図１】複数の小穴をスプーン先端に開け、先端もなるだけ食器に接触させトッピングとスープが分離し易いようにした説明図、
【図２】スリットをスプーン先端に開け、先端もなるだけ食器に接触させトッピングとスープが分離し易いようにした説明図、
【図３】従来のスプーンではスープと共にトッピングが流出し分離できないところを示した説明図
【符号の説明】
【００１０】
１スプーン本体
２水抜き小穴
３容器接触部
４器の外周を示す
５流出するトッピング
６スリット
【図１】
0003127337.tif 000003
【図２】
0003127337.tif 000004
【図３】
0003127337.tif 000005